(57)【要約】【課題】同じ内容で画質が異なる第１および第２放送の切り替えを、切り替え処理の負担を軽減しつつ、利用環境に応じた適切なものとすることができるデジタル放送受信機およびデジタル放送受信方法の提供を図る。【解決手段】第１画質の第１放送、および、前記第１放送と同じ内容で前記第１画質よりも高画質の第２放送のデジタル放送信号を受信し、前記第１放送用の第１受信信号と前記第２放送用の第２受信信号を復調して出力する復調部３と、ソフトウェア用モニタ信号ＦＤ，ＭＰを受け取って、切り替え条件をソフトウェア処理して出力する切り替え条件処理部５１と、前記切り替え条件処理部５１からの前記切り替え条件、および、ハードウェア用モニタ信号ＣＮ，ＭＥＲ，ＲＳＳＩ，ＢＥＲ，ＰＥＲを受け取って、前記第１放送または前記第２放送の切り替えを制御する切り替えフラグを出力する切り替え制御部４と、を有する。【選択図】図４
2015211378.tif 000002
【特許請求の範囲】
【請求項１】
第１画質の第１放送、および、前記第１放送と同じ内容で前記第１画質よりも高画質の第２放送のデジタル放送信号を受信し、前記第１放送用の第１受信信号と前記第２放送用の第２受信信号を復調して出力する復調部と、
ソフトウェア用モニタ信号を受け取って、切り替え条件をソフトウェア処理して出力する切り替え条件処理部と、
前記切り替え条件処理部からの前記切り替え条件、および、ハードウェア用モニタ信号を受け取って、前記第１放送または前記第２放送の切り替えを制御する切り替えフラグを出力する切り替え制御部と、を有する、
ことを特徴とするデジタル放送受信機。
【請求項２】
さらに、
前記復調部からの前記第１受信信号および前記第２受信信号を受け取り、前記切り替え制御部からの前記切り替えフラグに基づいて、前記第１受信信号または前記第２受信信号の一方をデコードおよび切り替え処理して出力する演算処理装置を有し、
前記切り替え条件処理部は、前記演算処理装置で実行されるソフトウェアプログラムで形成される、
ことを特徴とする請求項１に記載のデジタル放送受信機。
【請求項３】
前記ソフトウェア用モニタ信号は、
マルチパス信号およびフィージング信号の少なくとも一方を含む、
ことを特徴とする請求項１または請求項２に記載のデジタル放送受信機。
【請求項４】
前記復調部は、
分散パイロット信号の搬送波を受け取って、前記マルチパス信号および前記フィージング信号を生成するマルチパスおよびフェージング検出回路を含む、
ことを特徴とする請求項３に記載のデジタル放送受信機。
【請求項５】
前記ハードウェア用モニタ信号は、
搬送波対雑音比，変調誤差比，受信信号強度，ビット誤り率およびパケット誤り率の少なくとも１つを含む、
ことを特徴とする請求項３または請求項４に記載のデジタル放送受信機。
【請求項６】
前記切り替え制御部は、
前記切り替え条件処理部からの前記切り替え条件に基づいて規定された、前記搬送波対雑音比，前記変調誤差比，前記受信信号強度，前記ビット誤り率および前記パケット誤り率の少なくとも１つの閾値を格納する少なくとも１つの閾値レジスタと、
前記復調部からの前記搬送波対雑音比，前記変調誤差比，前記受信信号強度，前記ビット誤り率および前記パケット誤り率の選択された少なくとも１つ、並びに、前記選択された少なくとも１つに対応する前記閾値レジスタに格納され少なくとも１つれの閾値を受け取り、前記切り替え条件に基づいて、前記切り替えフラグを生成する切り替えフラグ生成回路と、を含む、
ことを特徴とする請求項５に記載のデジタル放送受信機。
【請求項７】
前記第１放送は、ＩＳＤＢ−Ｔにおけるワンセグ放送であり、
前記第１受信信号は、Ａ階層トランスポートストリーム信号であり、
前記第２放送は、前記ＩＳＤＢ−Ｔにおけるフルセグ放送であり、
前記第２受信信号は、Ｂ階層トランスポートストリーム信号である、
ことを特徴とする請求項１乃至請求項６のいずれか１項に記載のデジタル放送受信機。
【請求項８】
第１画質の第１放送、および、前記第１放送と同じ内容で前記第１画質よりも高画質の第２放送のデジタル放送信号を受信し、
ソフトウェア用モニタ信号を受け取って、切り替え条件をソフトウェア処理して出力し、
前記切り替え条件、および、ハードウェア用モニタ信号を受け取って、前記第１放送または前記第２放送の一方を視聴可能とする、を有する、
ことを特徴とするデジタル放送受信方法。
【請求項９】
前記ハードウェア用モニタ信号は、
搬送波対雑音比，変調誤差比，受信信号強度，ビット誤り率およびパケット誤り率の少なくとも１つを含む、
ことを特徴とする請求項８に記載のデジタル放送受信方法。
【請求項１０】
前記第１放送または前記第２放送の一方を視聴可能とするのは、
前記切り替え条件に基づいて、前記搬送波対雑音比，前記変調誤差比，前記受信信号強度，前記ビット誤り率および前記パケット誤り率の少なくとも１つを処理し、前記第１放送または前記第２放送の一方を視聴可能とする、
ことを特徴とする請求項９に記載のデジタル放送受信方法。
【請求項１１】
第１画質の第１放送、および、前記第１放送と同じ内容で前記第１画質よりも高画質の第２放送のデジタル放送信号を受信し、前記第１放送用の第１受信信号と前記第２放送用の第２受信信号を復調して出力する復調部と、
前記切り替え条件処理部からの前記切り替え条件、および、ハードウェア用モニタ信号を受け取って、前記第１放送または前記第２放送の切り替えを制御する切り替えフラグを出力する切り替え制御部と、
前記復調部からの前記第１受信信号および前記第２受信信号を受け取り、前記切り替え制御部からの前記切り替えフラグに基づいて、前記第１受信信号または前記第２受信信号の一方をデコードおよび切り替え処理して出力する演算処理装置と、を有するデジタル放送受信機の放送切り替えプログラムであって、
前記演算処理装置に、
ソフトウェア用モニタ信号を与え、ソフトウェア処理して前記切り替え条件を出力する工程を実行させる、
ことを特徴とするデジタル放送受信機の放送切り替えプログラム。
【発明の詳細な説明】
【技術分野】
【０００１】
この出願で言及する実施例は、デジタル放送受信機およびデジタル放送受信方法に関する。
【背景技術】
【０００２】
近年、デジタル信号を伝送する方式として、周波数軸上で互いに直交する複数のキャリアを利用してデータ伝送を行う直交周波数分割多重方式(ＯＦＤＭ：Orthogonal Frequency Division Multiplexing)が実用化されている。
【０００３】
ＯＦＤＭ方式において、送信機は、逆高速フーリエ変換(ＩＦＦＴ：Inverse Fast Fourier Transformation)を利用して伝送信号を変調し、受信機は、高速フーリエ変換(ＦＦＴ：Fast Fourier Transformation)を利用して伝送信号を復調する。
【０００４】
このＯＦＤＭ方式は、周波数利用効率が高く、車載や携帯端末でも利用できるため、例えば、日本や中南米諸国の地上波デジタル放送の規格であるＩＳＤＢ−Ｔ(Integrated Services Digital Broadcasting-Terrestrial)においても採用されている。なお、ＩＳＤＢ−Ｔは、さらに、アジアおよびアフリカ諸国での実用化も進むものと考えられている。
【０００５】
例えば、日本の地上波デジタル放送(ＩＳＤＢ−Ｔ)では、周波数帯域としてＵＨＦ(Ultra High Frequency)帯が利用され、１つの放送局用のチャンネルに対して６ＭＨｚ帯域が割り当てられている。
【０００６】
このチャンネルは、例えば、１３個のセグメントに分割され、複数の異なる画質の動画データや、動画および音声以外のデータなどを１つのチャンネルに多重化して同時に送信する。
【０００７】
そして、一般的なテレビ受信機(固定端末)に対しては、１３セグメントのうちの１２セグメントを利用した放送(フルセグ放送)が行われ、携帯端末に対しては、残りの１セグメントを利用した放送(ワンセグ放送)が行われている。
【０００８】
近年、大画面のスマートフォンやタブレットの普及により、携帯端末においても、ワンセグ放送(ワンセグ)だけでなく、フルセグ放送(フルセグ)も視聴可能となることが予想されている。ここで、フルセグは、ワンセグに比べて高画質な反面、情報量が多いのでノイズに弱く、視聴できる環境が限られている。
【０００９】
そのため、１２セグメント(フルセグ)と１セグメント(ワンセグ)で同じ内容が送信されるサイマル放送の場合、受信状況によって、高画質のフルセグと、ノイズに強いワンセグのどちらか一方を切り替えてデコードする機能が実装されるものと考えられている。
【００１０】
なお、ワンセグ部分は、Ａ階層トランスポートストリーム(ＴＳ：Transport Stream)データとして、また、フルセグ部分は、Ｂ階層ＴＳデータとして別々に復調され、アプリケーションプロセッサに出力される。
【００１１】
そして、アプリケーションプロセッサにおいて、Ａ階層ＴＳデータおよびＢ階層ＴＳデータのデコードおよび出力階層の選択が行われ、その選択された放送(ワンセグまたはフルセグ放送がディスプレイに表示される。
【００１２】
ところで、従来、デジタル放送受信機およびデジタル放送受信方法としては、様々な提案がなされている。
【先行技術文献】
【特許文献】
【００１３】
【特許文献１】特開２０１３−１８３４１４号公報
【特許文献２】特開２００８−０４２２２９号公報
【特許文献３】特開２００９−２７８４４６号公報
【特許文献４】特開２０１２−１６９９０２号公報
【特許文献５】特開２０１３−００９１１７号公報
【特許文献６】特開２０１３−１７２３３２号公報
【特許文献７】特開２０１３−１７２３３３号公報
【発明の概要】
【発明が解決しようとする課題】
【００１４】
上述のように、近年、スマートフォンやタブレット等の携帯端末においても、同じチャネル(同じ内容：同一コンテンツ)の放送を、ワンセグとフルセグのデジタル放送信号として受信し、そのワンセグとフルセグを切り替えて視聴するようになると考えられている。
【００１５】
ところで、ユーザが携帯端末により放送を視聴する環境(利用環境，受信環境)は、ユーザの行動に伴って、停止，徒歩，自動車や電車での移動といった様々な状況が考えられる。
【００１６】
しかしながら、このような様々な利用環境におけるワンセグおよびフルセグの切り替えは、十分に満足できるものではないという課題が有る。
【課題を解決するための手段】
【００１７】
一実施形態によれば、復調部と、切り替え条件処理部と、切り替え制御部４と、を有するデジタル放送受信機が提供される。前記復調部は、第１画質の第１放送、および、前記第１放送と同じ内容で前記第１画質よりも高画質の第２放送のデジタル放送信号を受信し、前記第１放送用の第１受信信号と前記第２放送用の第２受信信号を復調して出力する。
【００１８】
前記切り替え条件処理部は、ソフトウェア用モニタ信号を受け取って、切り替え条件をソフトウェア処理して出力する。前記切り替え制御部は、前記切り替え条件処理部からの前記切り替え条件、および、ハードウェア用モニタ信号を受け取って、前記第１放送または前記第２放送の切り替えを制御する切り替えフラグを出力する。
【発明の効果】
【００１９】
開示のデジタル放送受信機およびデジタル放送受信方法は、同じ内容で画質が異なる第１および第２放送の切り替えを、切り替え処理の負担を軽減しつつ、利用環境に応じた適切なものとすることができるという効果を奏する。
【図面の簡単な説明】
【００２０】
【図１】図１は、ＩＳＤＢ−Ｔにおける各チャネルのワンセグ放送およびフルセグ放送を説明するための図である。
【図２】図２は、ワンセグおよびフルセグを切り替えて受信可能なデジタル放送受信機の一例を示すブロック図である。
【図３】図３は、様々な受信環境におけるフェージングおよびマルチパスレベルの関係を説明するための図である。
【図４】図４は、デジタル放送受信機の一実施例を示すブロック図である。
【図５】図５は、図４に示すデジタル放送受信機における切り替え制御部の一例を示すブロック図である。
【図６】図６は、図４に示すデジタル放送受信機の変調部におけるマルチパスおよびフェージング検出回路の一例を説明する図である。
【図７】図７は、図６に示すマルチパスおよびフェージング検出回路により使用するＳＰ信号の配置例を示す図である。
【図８】図８は、図４に示すデジタル放送受信機の変調部における遅延プロファイルの算出を説明するためのＳＰ信号の配置例を示す図である。
【図９】図９は、本実施例におけるフェージング推定値の具体例を示す図である。
【図１０】図１０は、遅延プロファイルの例を説明するための図である。
【図１１】図１１は、本実施例におけるフェージング推定値の具体例を示す図である。
【図１２】図１２は、図１１に示すフェージング推定値の具体例における受信率の低下を説明するための図である。
【図１３】図１３は、本実施例における信号レベル(ＩＦ ＡＧＣ)と搬送波対雑音比信号(ＣＮ比)および受信率(ＰＥＲ)の具体例を示す図である。
【図１４】図１４は、本実施例における切り替え条件処理部における利用環境推定処理の一例を説明するためのフローチャート(その１)である。
【図１５】図１５は、本実施例における切り替え条件処理部における利用環境推定処理の一例を説明するためのフローチャート(その２)である。
【発明を実施するための形態】
【００２１】
まず、デジタル放送受信機およびデジタル放送受信方法の実施例を詳述する前に、デジタル放送受信機の例、並びに、その問題点を、図１〜図３を参照して説明する。
【００２２】
図１は、ＩＳＤＢ−Ｔにおける各チャネルのワンセグ放送およびフルセグ放送を説明するための図である。なお、以下の説明では、日本の地上波デジタル放送(ＩＳＤＢ−Ｔ)を例として説明するが、本実施例の適用は、日本の地上波デジタル放送に限定されないのはいうまでもない。
【００２３】
図１に示されるように、例えば、ＩＳＤＢ−Ｔとしては、例えば、６ＭＨｚの帯域が割り当てられた複数のチャネルＮ，Ｎ＋１，Ｎ＋２，Ｎ＋３，…が規定されている。具体的に、日本の地上波デジタル放送(ＩＳＤＢ−Ｔ)では、例えば、ＵＨＦ帯を利用するデジタルテレビ放送(１３ｃｈ〜６２ｃｈ)が規定されている。
【００２４】
このデジタルテレビ放送では、各チャネルに対して６ＭＨｚ帯域が割り当てられ、さらに、ほぼ４２９ＫＨｚ分の幅で１３個のセグメントと呼ばれる帯域(約５．５７ＭＨｚ)とガードバンド(図示しない)に分割される。
【００２５】
そして、複数の異なる画質の動画データや、動画および音声以外のデータなどを１つのチャンネルに多重化して同時に送信する。なお、それぞれのセグメント毎に別の変調方式などを指定することで、効率的に周波数帯域を利用している。
【００２６】
ここで、例えば、一般的なテレビ受信機(固定端末)に対しては、１３セグメントのうちの１２セグメントを利用した放送(フルセグ放送)が行われ、携帯端末に対しては、残りの１セグメントを利用した放送(ワンセグ放送)が行われている。
【００２７】
また、送信局(デジタルテレビ放送局)は、ワンセグ放送(ワンセグ)のためのＡ階層ＴＳデータ(Ａ階層ＴＳ信号)、および、フルセグ放送(フルセグ)のためのＢ階層ＴＳデータ(Ｂ階層ＴＳ信号)を多重化して同時に送信する。すなわち、ワンセグおよびフルセグは、互いに情報量は異なるが、同じコンテンツを配信しており、いわゆるサイマル放送が行われる。
【００２８】
なお、ＩＳＤＢ−Ｔでは、ＯＦＤＭを利用して信号が伝送されるが、ＯＦＤＭは、互いに周波数の異なる複数のキャリアを利用して複数の信号を並列に伝送することができる。そして、複数のキャリアを使用して、データ、分散パイロット(ＳＰ：Scattered Pilot)信号、付加情報(ＡＣ：Auxiliary Channel)信号、および、制御情報(ＴＭＣＣ：Transmission and Multiplexing Configuration Control)信号等が伝送される。
【００２９】
また、ＩＳＤＢ−Ｔでは、送信局(デジタル放送局)においてインタリーブ処理が行われる。このインタリーブ(時間インタリーブ)処理では、所定の時間枠内のデータが所定のアルゴリズムに従って並べ替えられる。そのため、受信局(デジタル放送受信機)では、送信局で行われるインタリーブ処理に対応するデインタリーブ処理が行われる。
【００３０】
図２は、ワンセグおよびフルセグを切り替えて受信可能なデジタル放送受信機の一例を示すブロック図である。図２に示されるように、デジタル放送受信機100は、アンテナ101，高周波(ＲＦ：Radio Frequency)の受信処理を行うＲＦ部102，復調部103，アプリケーションプロセッサ(ＡＰ)105およびディスプレイ106を含む。
【００３１】
ＲＦ部102は、アンテナ101を介して受信したＯＦＤＭ信号(ＩＳＤＢ−Ｔのデジタル放送信号)を受け取り、その中から所望のチャネルの信号を選択して中間周波数(ＩＦ：Intermediate Frequency)帯の信号に変換し、そのＩＦ信号を復調部103に出力する。復調部103は、Ａ／Ｄ(アナログ/デジタル)変換部131，直交復調部132，ＦＦＴ(高速フーリエ変換)部133，伝送路等化部134，デインタリーブ部135および誤り訂正部136を含む。
【００３２】
すなわち、ＲＦ部102からのＩＦ信号は、Ａ／Ｄ変換部131に入力されてデジタル信号に変換され、直交復調部132において、時間領域信号である複素ベースバンド信号に変換される。
【００３３】
直交復調部132からの複素ベースバンド信号は、ＦＦＴ部133により周波数領域信号に変換され、互いに周波数の異なる複数のキャリアを利用して伝送された複数の信号が得られる。ここで、ＩＳＤＢ−Ｔ用のＯＦＤＭ信号は、例えば、データ信号、ＳＰ信号，ＡＣ信号およびＴＭＣＣ信号を含む。
【００３４】
データ信号およびＳＰ信号は、伝送路等化部134に入力される。ＳＰ信号は、送信位相および送信パワーが予め定められた既知信号であり、伝送路等化部134は、ＳＰ信号を利用してデータ信号を等化する。
【００３５】
デインタリーブ部135は、伝送路等化部134の出力データに対して、デインタリーブ処理を行い、再生されたデータは、誤り訂正部136による訂正処理の後、ＴＳ(Transport Stream)形式で出力される。
【００３６】
すなわち、デインタリーブ部135は、ワンセグ用のＡ階層ＴＳデータおよびフルセグ用のＢ階層ＴＳデータ、並びに、受信データのビット誤り率(ＢＥＲ：Bit Error Ratio)信号をアプリケーションプロセッサ(ＡＰ)５に出する。
【００３７】
アプリケーションプロセッサ105は、ＢＥＲ信号に基づいて、例えば、ＢＥＲが小さければ、Ｂ階層ＴＳデータを選択およびデコードし、フルセグによる高画質の映像をディスプレイ106に表示する。一方、ＢＥＲが大きければ、Ａ階層ＴＳデータを選択およびデコードし、ワンセグによるノイズに強い映像をディスプレイ106に表示する。
【００３８】
ところで、近年、大画面のスマートフォンやタブレットの普及により、携帯端末においても、ワンセグ(ワンセグ放送)だけでなく、フルセグ(フルセグ放送)も視聴可能となることが予想されている。ここで、フルセグは、ワンセグに比べて高画質な反面、情報量が多いのでノイズに弱く、視聴できる環境が限られている。
【００３９】
図３は、様々な受信環境におけるフェージングおよびマルチパスレベルの関係を説明するための図であり、例えば、ワンセグおよびフルセグを表示可能なスマートフォン(携帯端末)を携帯したユーザが、様々な受信環境で放送を視聴している場合を想定している。
【００４０】
図３において、領域ＰＰ１は、例えば、ワンセグおよびフルセグを表示可能なスマートフォンを携帯したユーザが停止している場合に対応し、領域ＰＰ２は、スマートフォンを携帯したユーザが徒歩で移動している場合に対応する。また、領域ＰＰ３は、スマートフォンを携帯したユーザが自動車や電車で移動している場合に対応する。
【００４１】
図３から明らかなように、例えば、スマートフォンを携帯したユーザが停止している領域ＰＰ１では、フェージングは発生せず、また、スマートフォンを携帯したユーザが徒歩で移動している領域ＰＰ２では、フェージングは小さい。
【００４２】
一方、スマートフォンを携帯したユーザが自動車や電車で移動している領域ＰＰ３では、フェージングは大きくなる。また、マルチパスレベルに関しては、例えば、領域ＰＰ１およびＰＰ３では高く、領域ＰＰ２では低くなる傾向にある。
【００４３】
しかしながら、例えば、停止，徒歩および自動車等での移動といった様々な状況での使用が想定されるユーザに携帯されたスマートフォンにおいて、そのような様々な状況に対応したフルセグとワンセグの切り替え処理は、十分に満足できるものとはいえない。
【００４４】
以下、デジタル放送受信機およびデジタル放送受信方法の実施例を、添付図面を参照して詳述する。
【００４５】
以下の説明において、演算処理装置(アプリケーションプロセッサ５)に与えるソフトウェア用モニタ信号は、フェージング(ＦＤ：Fading、ｆｄ値)信号およびマルチパス(ＭＰ：multipath)信号を例として説明するが、ＦＤおよびＭＰに限定されるものではない。
【００４６】
切り替え制御部(４)に与えるハードウェア用モニタ信号は、例えば、搬送波対雑音比(ＣＮ比：Carrier to Noise Rate)信号、変調誤差比(ＭＥＲ：Modulation Error Rate)信号および受信信号強度(ＲＳＳＩ：Received Signal Strength Indicator)信号を含む。
【００４７】
さらに、ハードウェア用モニタ信号は、ビット誤り率(ＢＥＲ：Bit Error Rate)信号およびパケット誤り率(ＰＥＲ：Packet Error Rate)信号を含む。なお、受信状況を示す主要パラメータであるハードウェア用モニタ信号は、ＣＮ(ＣＮ比)，ＭＥＲ，ＲＳＳＩ，ＢＥＲおよびＰＥＲに限定されるものではない。
【００４８】
すなわち、以下の説明において、アプリケーションプロセッサ５は、例えば、フェージング(ＦＤ)およびマルチパス(ＭＰ)のソフトウェア用モニタ信号を受け取って、切り替え条件をソフトウェア処理するが、ソフトウェア用モニタ信号は他の信号であってもよい。
【００４９】
切り替え制御部４は、例えば、アプリケーションプロセッサ５からの切り替え条件、並びに、ＣＮ，ＭＥＲ，ＲＳＳＩ，ＢＥＲおよびＰＥＲ等のハードウェア用モニタ信号を受け取り、切り替えフラグを生成してアプリケーションプロセッサ５に出力する。
【００５０】
ここで、アプリケーションプロセッサ５は、切り替え制御部からの切り替えフラグに従って、例えば、ワンセグ(第１放送)およびフルセグ(第２放送)の一方をデコードおよび選択して視聴可能とする。
【００５１】
このように、本実施例は、パラメータの監視機能をハードで実装することで処理の負担を軽減し、ソフトではフェージング状況やマルチパスの変動等をモニタすることにより、前述した利用シーンを推定し、それに適した切り替えパラメータを動的に設定する。
【００５２】
図４は、デジタル放送受信機の一実施例を示すブロック図である。図４に示されるように、本実施例のデジタル放送受信機１０は、アンテナ１，高周波(ＲＦ)の受信処理を行うＲＦ部２，復調部３，切り替え制御部４，アプリケーションプロセッサ(ＡＰ)５およびディスプレイ６を含む。ここで、ＲＦ部２，復調部３および切り替え制御部４により、チューナーモジュールを形成することができる。
【００５３】
ＲＦ部２は、アンテナ１を介して受信したＯＦＤＭ信号(ＩＳＤＢ−Ｔのデジタル放送信号)を受け取り、その中から所望のチャネルの信号を選択して中間周波数(ＩＦ：Intermediate. Frequency)帯の信号に変換し、そのＩＦ信号を復調部３に出力する。
【００５４】
ここで、復調部３は、例えば、図２を参照して説明した復調部103と同様のものを適用することができる。すなわち、復調部３は、図２を参照して説明したＡ／Ｄ変換部131，直交復調部132，ＦＦＴ部133，伝送路等化部134，デインタリーブ部135および誤り訂正部136を含む。
【００５５】
さらに、復調部３は、後に、図６を参照して説明するマルチパスおよびフェージング検出回路３０を含み、ソフトウェア用モニタ信号(ＦＤ，ＭＰ)を生成して、アプリケーションプロセッサ５に出力する。ＲＦ部２からのＩＦ信号は、Ａ／Ｄ変換部131に入力されてデジタル信号に変換され、直交復調部132において、時間領域信号である複素ベースバンド信号に変換される。
【００５６】
直交復調部132からの複素ベースバンド信号は、ＦＦＴ部133により周波数領域信号に変換され、互いに周波数の異なる複数のキャリアを利用して伝送された複数の信号が得られる。なお、ＩＳＤＢ−Ｔ用のＯＦＤＭ信号は、例えば、データ信号、ＳＰ信号，ＡＣ信号およびＴＭＣＣ信号を含む。
【００５７】
データ信号およびＳＰ信号は、伝送路等化部134に入力される。ＳＰ信号は、送信位相および送信パワーが予め定められた既知信号であり、伝送路等化部134は、ＳＰ信号を利用してデータ信号を等化する。デインタリーブ部135は、伝送路等化部134の出力データに対して、デインタリーブ処理を行い、再生されたデータは、誤り訂正部136による訂正処理の後、ＴＳ形式で出力される。
【００５８】
すなわち、変調部３は、ワンセグ用のＡ階層ＴＳデータおよびフルセグ用のＢ階層ＴＳデータ、並びに、ソフトウェア用モニタ信号(S/Wモニタ)をアプリケーションプロセッサ５に出力する。ここで、ソフトウェア用モニタ信号としては、例えば、フェージング(ＦＤ)およびマルチパス(ＭＰ)を表す信号を含む。
【００５９】
アプリケーションプロセッサ５は、切り替え条件処理部５１を含み、変調部３からのソフトウェア用モニタ信号(ＦＤ，ＭＰ)を受け取って処理し、切り替え条件を生成して切り替え制御部４に出力する。なお、切り替え条件処理部５１は、アプリケーションプロセッサ５によるソフトウェアとして提供される。
【００６０】
ここで、アプリケーションプロセッサ５は、後述する切り替え制御部４からの切り替えフラグに基づいて、Ａ階層ＴＳデータまたはＢ階層ＴＳデータのいずれかを選択およびデコードする処理を行って、ワンセグまたはフルセグ放送をディスプレイ６に表示する。
【００６１】
すなわち、ディスプレイ６は、ワンセグとフルセグのどちらでの視聴を推奨するかを示す切り替えフラグに基づいて、ワンセグ放送またはフルセグ放送のいずれかを表示する。なお、切り替えフラグは、例えば、切り替え制御部４からＧＰＩＯ(General Purpose Input/Output)等の外部端子を介してアプリケーションプロセッサ５に入力される。
【００６２】
復調部３は、ハードウェア用モニタ信号(H/Wモニタ)を切り替え制御部４に出する。ここで、ハードウェア用モニタ信号としては、例えば、ＣＮ，ＭＥＲ，ＲＳＳＩ，ＢＥＲ，ＰＥＲ等の信号である。
【００６３】
すなわち、切り替え制御部４は、復調部３からのハードウェア用モニタ信号(ＣＮ，ＭＥＲ，ＲＳＳＩ，ＢＥＲ，ＰＥＲ等)、並びに、アプリケーションプロセッサ５からの切り替え条件を受け取り、切り替えフラグをアプリケーションプロセッサ５に出力する。
【００６４】
上述したように、本実施例では、ＣＮ，ＭＥＲ，ＲＳＳＩ，ＢＥＲ，ＰＥＲ等の受信状況を示す主要なモニタの監視機能をハードウェア(切り替え制御部４)として実装して処理の負担を軽減する。
【００６５】
そして、ソフトウェア(切り替え条件処理部５１)ではフェージング状況(ＦＤ)やマルチパスの変動(ＭＰ)をモニタし、例えば、停止，徒歩および自動車等での移動といった様々なデジタル放送受信機の使用状況を推定し、最適なパラメータを動的に設定する。
【００６６】
図５は、図４に示すデジタル放送受信機における切り替え制御部の一例を示すブロック図である。図５に示されるように、切り替え制御部４は、切り替えフラグ生成回路４１，ＰＥＲ閾値レジスタ４２，ＢＥＲ閾値レジスタ４３，ＭＥＲ閾値レジスタ４４，ＣＮ閾値レジスタ４５およびＲＳＳＩ閾値レジスタ４６を含む。
【００６７】
切り替えフラグ生成回路４１は、復調部３からのＣＮ，ＭＥＲ，ＲＳＳＩ，ＢＥＲおよびＰＥＲの信号、並びに、レジスタ４２，４３，４４，４５および４６からのＰＥＲ閾値，ＢＥＲ閾値，ＭＥＲ閾値，ＣＮ閾値およびＲＳＳＩ閾値を受け取る。
【００６８】
切り替えフラグ生成回路４１は、例えば、アプリケーションプロセッサ５(切り替え条件処理部５１)から、使用モニタ，閾値および使用段数等の切り替え条件を受け取り、アプリケーションプロセッサ５に対して切り替えフラグを出力する。
【００６９】
ここで、切り替え条件における使用モニタとは、復調部３からのＣＮ，ＭＥＲ，ＲＳＳＩ，ＢＥＲおよびＰＥＲのモニタ信号の内、どの信号を使用するかを規定する条件を示す。また、切り替え条件における閾値とは、レジスタ４２，４３，４４，４５および４６に設定するＣＮ閾値，ＭＥＲ閾値，ＲＳＳＩ閾値、ＢＥＲ閾値およびＰＥＲ閾値の設定値を示す。
【００７０】
さらに、切り替え条件における保護段数とは、例えば、復調部３からのハードウェア用モニタ信号(例えば、ＰＥＲ)がＰＥＲ閾値レジスタ４２に格納されたＰＥＲ閾値を超えても、例えば、フルセグからワンセグへの切り替えを行わない回数を示す。
【００７１】
本実施例によれば、例えば、製品の仕様や利用地域あるいは顧客等のアプリケーションの違いに応じて、アプリケーションプロセッサ５の切り替え条件処理部５１(ソフトウェア)を変更することにより、切り替え条件を適切にチューニングすることができる。
【００７２】
図６は、図４に示すデジタル放送受信機の変調部におけるマルチパスおよびフェージング検出回路の一例を説明する図であり、図７は、図６に示すマルチパスおよびフェージング検出回路により使用するＳＰ信号の配置例を示す図である。図６に示す例において、マルチパスおよびフェージング検出回路３０は、ＯＦＤＭ信号の中に含まれているＳＰ信号を利用して、マルチパスおよびフェージングを検出する。
【００７３】
なお、図７に示されるように、ＳＰ信号は、周波数軸方向においては、１２キャリア毎に挿入される、各キャリアは、例えば、地上波デジタル放送のMode3においては、１ｋＨｚ間隔で用意されている。また、ＳＰ信号は、時間軸方向においては、４シンボル毎に挿入される。１シンボル時間は、例えば、１．００８ｍ秒である。なお、ＳＰ信号の挿入は、４シンボル毎に限定されないのはいうまでもない。
【００７４】
図６に示されるように、マルチパスおよびフェージング検出回路３０は、ＩＦＦＴ処理部３１、遅延情報検出器３２および電力変動検出部３３を含む。ＩＦＦＴ処理部３１は、ＳＰ信号の搬送波(ＳＰキャリア)に対して逆フーリエ変換を行い、ＳＰについての時間領域信号を生成して遅延情報検出器３２に出力する。
【００７５】
遅延情報検出器３２は、電力計算部321、ピークサーチ部322および遅延量算出部323を含む。電力計算部321は、ＩＦＦＴ処理部３１からの時間領域信号の電力を計算し、遅延プロファイルを作成する。
【００７６】
ここで、遅延プロファイルは、時間軸上における受信パワーを表す。すなわち、遅延プロファイルは、主波(希望波)および干渉波(非希望波)の各受信パワーを表す。従って、この遅延プロファイルを解析すれば、マルチパスによる遅延時間を検出することができる。
【００７７】
ピークサーチ部322は、電力計算部321で得られた遅延プロファイルにおいて、電力ピークをサーチする。ここで、最も電力の大きいピークが希望波と判断され、他のピークは、非希望波と判断される。
【００７８】
そして、遅延量算出部323は、希望波と非希望波との間の時間差(すなわち、マルチパス遅延)を計算し、計算されたマルチパス遅延(ＭＰ)は、アプリケーションプロセッサ５に出力される。すなわち、マルチパス遅延(マルチパスによる遅延時間を表す遅延情報)は、切り替え条件処理部５１に与えられる。なお、この遅延情報は、ＦＦＴ部133においてＦＦＴ窓の位置を制御するためにも使用される。
【００７９】
電力変動検出器３３は、電力計算部331、４シンボル遅延部332、減算部333、積算部334および変動計算部335を含む。電力計算部331は、周波数領域において各ＳＰ信号の電力を計算する。ここで、ＳＰ信号は、時間軸方向においては、４シンボル間隔で挿入されているが、４シンボル毎に限定されないのは上述した通りである。
【００８０】
４シンボル遅延部332は、電力計算部331により得られた電力情報を４シンボル時間だけ保持した後、減算部333に出力する。減算部333は、電力計算部331により得られた電力情報と、４シンボル遅延部332から与えられる電力情報との差分を計算する。
【００８１】
この差分値は、ＳＰ信号の電力の時間軸上の変動を表す。積算部334は、減算部333で得られた差分値の平均値を求める。平均化演算は、時間方向および周波数方向の双方について行ってもよいが、時間方向または周波数方向の一方について行うようにしてもよい。
【００８２】
そして、変動算出部335は、積算部334で得られた平均値を電力変動情報としてアプリケーションプロセッサ５に出力する。なお、電力変動情報は、受信局(すなわち、デジタル放送受信機１００)の移動速度に換算されてもよい。
【００８３】
なお、図６に示すマルチパスおよびフェージング検出回路３０は単なる例であり、様々な回路構成とすることができ、また、ソフトウェアモニタ信号としてマルチパスおよびフェージング以外の信号を生成して適用することもできるのはいうまでもない。
【００８４】
図８は、図４に示すデジタル放送受信機の変調部における遅延プロファイルの算出を説明するためのＳＰ信号の配置例を示す図であり、例えば、現シンボル(例えば、＃ｎ)と２シンボル前(＃ｎ−２)のＳＰデータを示すものである。
【００８５】
次に、２シンボル前のＳＰデータのインパルス応答と現シンボルインパルス応答の位相回転量を算出することで、フェージング値の推定を行う例を説明する。すなわち、＜位相回転量の算出＞、＜ｆｄ値［Ｈｚ］の算出＞、並びに、＜移動速度の算出＞について説明する。なお、ＳＰデータのインパルス応答は、ＳＰキャリアにＩＦＦＴ処理を行い、その電力が最大になっている点を求めることにより得られる。
【００８６】
＜位相回転量の算出＞
位相回転量の算出は、まず、インパルス応答(ＦＦＴ窓位置)がゼロの位置から「ｔ(秒)」だけ正側にずれていたとすると、その周波数スペクトルの位相は「周波数に正比例する」ので、位相ｐｈｉを式で表すと、次の式(ａ)のようになる。
ｐｈｉ＝−２πｆｔ      (a)
【００８７】
この式でのｆについて、ｎシンボル目とｎ−２シンボル目の位相差を比較すると、図８に示されるように、ＳＰが６キャリアずれた配置となる。すなわち、式(ａ)におけるｆは、ｆ＝６×0.992×1000［Ｈｚ］となる。
【００８８】
ここで、１キャリア間隔は、0.99206ｋＨｚであり、よって、式(ａ)は、次の式(ｂ)のよう表すことができる。
ｐｈｉ＝−２π×６×0.992×1000×ｔ
＝−２π×5.952×1000×ｔ      (ｂ)
【００８９】
次に、ｔについて、Mode3では、256ポイントＩＦＦＴが行われ、ＳＰのみをＩＦＦＴしているので、最小単位は、次の式(ｃ)のよう表すことができる。なお、単位は、秒(sec)である。
最小単位＝(0.001008/12)/256      (ｃ)
【００９０】
よって、インパルス応答位置がＸポイントずれていたとすると(図８におけるアドレスのずれに対応)、ｔは、次の式(ｄ)のよう表すことができる。なお、単位は、秒(sec)である。
ｔ＝(0.001008/12)/256×Ｘ      (ｄ)
【００９１】
従って、式(ｂ)および式(ｄ)により、位相ｐｈｉは、次の式(e)で表すことができる。
ｐｈｉ＝−0.0123＊Ｘ      (ｅ)
【００９２】
上記式(ｅ)により、正弦(Ｓｉｎ)および余弦(Ｃｏｓ)のテーブルを作成し、例えば、Ｘポイントのずれに応じてＳｉｎ,Ｃｏｓの値を取り出して位相補正を行うことで、位相回転量を算出することができる。
【００９３】
＜ｆｄ値［Ｈｚ］の算出＞
フェージングによる位相回転は、ｆｄの大きさと経過時間に比例するため、以下の式を用いてｆｄ値に変換する。ここで、位相回転＝PHASE_AVEとし、ｆｄ値をｆとする。
ｋ×ｊ×Ｔ×ｆ＝PHASE_AVE
→ｆ＝(１／(ｋ×ｊ×Ｔ))×PHASE_AVE
ｋ：比例定数、ｊ：シンボル間隔、Ｔ：Ｔｓ(有効シンボル)＋ＧＩ
(ｋ＝3.5〜4.0、Ｊ＝２)
定数の部分(１／(ｋ×ｊ×Ｔ))＝Ｃ＝110となり、
ｆ＝110×PHASE_AVE (Mode3 GI=1/8時)となる。
【００９４】
＜移動速度の算出＞
端末の移動速度をｖ［ｍ／ｓ］、高速をｃ［ｍ／ｓ］、搬送波周波数をｆ０［Ｈｚ］とすると、
ｆｄ＝ｖ＊ｆ０／ｃ
で与えられる。すなわち、
ｖ＝ｆｄ＊ｃ／ｆ０
【００９５】
具体的に、例えば、ＵＨＦ２７ｃｈ (557.143「ＭＨｚ］)で、ｆｄ値推定量が２０［Ｈｚ］だった場合、
ｖ＝20*3E-8/(557*10E-6)
＝38.8［ｋｍ／ｈ］
となる。
【００９６】
従って、例えば、フェージングの周波数推定値(ｆｄ値)から、速度計やＧＰＳ(Global Positioning System)等のハードウェアを用いることなく移動速度を推定することができる。さらに、フェージング推定値が変動する様子をモニタリングすることで、より細かな受信環境の差異を判断(推定)することが可能となる。
【００９７】
図９は、本実施例におけるフェージング推定値の具体例を示す図であり、ＪＲ東日本の鉄道路線である山手線を一周しながらＵＨＦ２７ｃｈを受信した際のｆｄ値(フェージングの周波数推定値)の変動の様子を示すものである。若干の誤差はあるが、おおよそ、ｆｄ＝４０［Ｈｚ］、７７．５［ｋｍ／ｈ］あたりが最高速度となっている様子が分かる。
【００９８】
従って、例えば、フェージングの周波数推定値が常に一定以上(例えば、８０ｋｍ／ｈ以上)を示している場合には、車での高速移動中と推定し、フルセグが安定して受信できる環境が一定時間続くことは稀であると推定する。
【００９９】
そのため、車での高速移動中と推定した場合には、ワンセグからフルセグへの切り替えの閾値を高めに設定しておき、一瞬受信環境が良好になっても、ある程度はワンセグ受信を継続させておくのが好ましい。
【０１００】
図１０は、遅延プロファイルの例を説明するための図である。上述したように、ＳＰ信号の搬送波(ＳＰキャリア)に対して逆フーリエ変換(ＩＦＦＴ)を行うことにより、図１０に示されるような、信号内に存在する遅延波と電力(受信パワー：相関値)による遅延プロファイルを求めることができる。
【０１０１】
図１１は、本実施例におけるフェージング推定値の具体例を示す図であり、ＪＲ東日本の鉄道路線である山手線のある区間の遅延プロファイルから得られる情報をモニタした結果を示すものである。図１２は、図１１に示すフェージング推定値の具体例における受信率(受信データのビット誤り率：ＢＥＲ)の低下を説明するための図である。
【０１０２】
図１１において、「位置」の列に示されている数字は、検出した遅延プロファイルが存在する位置を内部で処理した値を示し、『１２７』が主波の位置に相当し、この値の『１』が遅延量の約４［μｓ］に相当する。
【０１０３】
具体的に、図１１において、参照符号ＮＰ０で示した行に注目すると、主波の位置ＰＶ０は『１２７』で、その主波の電力ＰＷＶ０は『１７５』となり、「遅延波１」の位置は『１３３』で、その「遅延波１」の電力ＰＷＶ１は『５４』となる。すなわち、位置『１３３』に存在する「遅延波１」は、(１３３−１２７)×４＝２４［μｓ］の遅延波であることになる。
【０１０４】
従って、図１２に示されるように、この位置『１３３』に電力が５４／１７５、すなわち、Ｄ／Ｕ＝５ｄＢ程度のマルチパスが瞬間的に現れ、これが原因でＢＥＲ(ＳＢＥＲ：ビット誤り率判定信号、受信率(ＰＥＲ：パケット誤り率)が低下しているのが分かる。
【０１０５】
例えば、図１１の場合には、参照符号ＰＲ０→ＰＲ１→ＰＲ２→ＰＲ３へ変化すると、受信率は、100％→98％→94％→100％へと変化するが、例えば、フルセグを視聴していれば、直ちにワンセグに切り替えずにそのままフルセグの視聴を維持するのが好ましい。
【０１０６】
すなわち、ＰＲ１，ＰＲ２では、フルセグの放送画面において、多少のブロックノイズが一時的に混入するが、そのままフルセグの視聴を継続する方が、例えば、ユーザに与える違和感(不快感)を少なく抑えることができる。
【０１０７】
図１３は、本実施例におけるＩＦ ＡＧＣとＣＮ比および受信率の具体例を示す図であり、ＪＲ東日本の鉄道路線である山手線のある区間を乗車して移動(電車移動)したときの例を示すものである。
【０１０８】
ここで、図１３(a)は、電車移動したときのＩＦ ＡＧＣとＣＮ比の変化を示し、図１３(b)は、そのときのＩＦ ＡＧＣと受信率(ＰＥＲ)の変化を示す。なお、図１３(a)および図１３(b)において、横軸は、電車移動したときの時刻、すなわち、山手線のある区間における位置を示す。
【０１０９】
すなわち、図１３(a)および図１３(b)は、直線ＳＬ０で示す時刻16:34:07の直前において、例えば、携帯端末(スマートフォン)を携帯したユーザが乗車した電車が、その電車に対向する電車とすれ違った場合の具体例を示すものである。
【０１１０】
なお、ＩＦ ＡＧＣは、中間周波数(ＩＦ：Intermediate. Frequency)の自動利得制御(Automatic Gain Control)信号を示し、信号レベルが高くなると小さくなる。また、ＣＮ比(ＣＮ)は、搬送波対雑音比(Carrier to Noise Rate)を示し、搬送波に対して雑音が大きくなると値(ｄＢ)が小さくなり、受信率(ＰＥＲ)は、パケット誤り率(Packet Error Rate)を示し、誤り率が大きくなると比率(％)が小さくなる。
【０１１１】
図１３(a)に示されるように、例えば、直線ＳＬ０のタイミングで、スマートフォンを携帯したユーザを乗せた電車が対向電車とすれ違った場合、参照符号ＬＬ２に示されるように、ＣＮ比は大きく低下した後、上昇して振動するのが分かる。
【０１１２】
すなわち、直線ＳＬ０よりも少し前(例えば、時刻16:33:12〜16:33:58辺り)では、ＣＮ比が１５〜２０ｄＢで変動していたのが、直線ＳＬ０のタイミングを極小のピークとして１０ｄＢ以下に低下する。その後、ＣＮ比は、時刻16:34:10辺りを極大のピークとして２５ｄＢ程度まで上昇し、その後、１８〜２３ｄＢで変動する様子が分かる。
【０１１３】
さらに、図１３(b)に示されるように、このとき(ＳＬ０のタイミング)、参照符号ＬＬ３に示されるように、ＰＥＲは、その前後で１００％を維持していたのが９４％程度まで落ち込む様子が分かる。この場合、受信率(ＰＥＲ)の低下は一瞬であり、例えば、フルセグを視聴していれば、直ちにワンセグに切り替えずにそのままフルセグの視聴を継続するのが好ましい。
【０１１４】
このように、ユーザを乗せた電車が対向電車とすれ違った場合、例えば、信号レベル(ＩＦ ＡＧＣ)の値は大きく変化していないため、すれ違いにより上述したような遅延波の瞬間的な出現および消滅が起きたと推定することができる。
【０１１５】
このように信号レベルが比較的強く、マルチパスが頻繁に現れたり消えたりする場合は、電車や自動車等の障害物により受信環境が瞬間的に変化していると推定し、フルセグ→ワンセグ切り替えの閾値を高めに設定しておくのが好ましい。これにより、例えば、一瞬受信環境が悪くなってもある程度はフルセグ受信を継続させておけば、短時間で(瞬時に)再びフルセグの視聴が可能となる。
【０１１６】
なお、ソフトウェアモニタ用信号としては、マルチパス信号(ＭＰ)およびフィージング信号(ＦＤ(ｆｄ))を使用すればよいが、上述したＩＦ ＡＧＣを始めとして、他の信号もソフトウェアモニタ用信号として使用することができる。
【０１１７】
図１４および図１５は、本実施例における切り替え条件処理部における利用環境推定処理の一例を説明するためのフローチャートである。図１４に示されるように、切り替え条件処理部における利用環境推定処理が開始すると、ステップＳＴ１において、フェージング推定値が１５０［ｋｍ／ｈ］よりも大きい(速い)かどうかを判定する。
【０１１８】
ステップＳＴ１において、フェージング推定値(ｆｄ)が１５０［ｋｍ／ｈ］よりも大きいと判定すると、利用環境が高速鉄道(新幹線)であると、すなわち、例えば、スマートフォンを携帯したユーザは、高速鉄道に乗車して移動中であると、推定する。
【０１１９】
ステップＳＴ１において、フェージング推定値(ｆｄ)が１５０［ｋｍ／ｈ］以下であると判定すると、ステップＳＴ２に進んで、フェージング推定値が８０［ｋｍ／ｈ］よりも大きいかどうかを判定する。
【０１２０】
ステップＳＴ２において、フェージング推定値が８０［ｋｍ／ｈ］よりも大きいと判定すると、ステップＳＴ３に進んで、マルチパスが存在するかどうかを判定する。ステップＳＴ３において、マルチパスが存在すると判定すると、ステップＳＴ４に進んで、マルチパスが動的に変動するかどうかを判定する。
【０１２１】
ステップＳＴ４において、マルチパスが動的に変動すると判定すると、利用環境が高速道路(高速ビル街)であると、すなわち、例えば、スマートフォンを携帯したユーザは、ビル街の高速道路を自動車で移動中であると、推定する。
【０１２２】
なお、ステップＳＴ３において、マルチパスが存在しないと判定すると、利用環境が高速道路(障害物なし)であると、すなわち、例えば、スマートフォンを携帯したユーザは、障害物のない高速道路を自動車で移動中であると、推定する。
【０１２３】
また、ステップＳＴ４において、マルチパスが動的に変動しないと判定すると、利用環境が高速道路(山岳地帯)であると、すなわち、例えば、スマートフォンを携帯したユーザは、山岳地帯の高速道路を自動車で移動中であると、推定する。
【０１２４】
そして、ステップＳＴ２において、フェージング推定値が８０［ｋｍ／ｈ］以下であると判定すると、図１５のステップＳＴ５に進んで、フェージング推定値が５０［ｋｍ／ｈ］よりも大きいかどうかを判定する。
【０１２５】
ステップＳＴ５において、フェージング推定値が５０［ｋｍ／ｈ］よりも大きいと判定すると、ステップＳＴ６に進んで、マルチパスが動的に変動するかどうかを判定する。
【０１２６】
ステップＳＴ６において、マルチパスが動的に変動すると判定すると、利用環境が電車乗車中であると、すなわち、例えば、スマートフォンを携帯したユーザは、電車に乗車して移動中であると、推定する。
【０１２７】
なお、ステップＳＴ６において、マルチパスが動的に変動しないと判定すると、利用環境が郊外走行中であると、すなわち、例えば、スマートフォンを携帯したユーザは、郊外を電車または自動車で移動中であると、推定する。
【０１２８】
ステップＳＴ５において、フェージング推定値が５０［ｋｍ／ｈ］以下であると判定すると、ステップＳＴ７に進んで、マルチパスが動的に変動するかどうかを判定する。
【０１２９】
ステップＳＴ７において、マルチパスが動的に変動すると判定すると、利用環境が駅ホームであると、すなわち、例えば、スマートフォンを携帯したユーザは、駅のホームに居ると、推定する。
【０１３０】
ステップＳＴ７において、マルチパスが動的に変動しないと判定すると、ステップＳＴ８に進んで、レベルの変動は大きいかどうかを判定する。ステップＳＴ８において、レベルの変動は大きいと判定すると、利用環境が歩行中であると、すなわち、例えば、スマートフォンを携帯したユーザは、徒歩で移動中であると、推定する。
【０１３１】
ステップなお、ＳＴ８において、レベルの変動は小さいと判定すると、利用環境が停止中であると、すなわち、例えば、スマートフォンを携帯したユーザは、停止していると、推定する。
【０１３２】
以上により、スマートフォンを携帯したユーザの様々な利用環境(受信環境)を推定することができる。なお、図１４および図１５に示す切り替え条件処理部における利用環境推定処理は単なる例であり、設定値や判定の様々な変更が可能なのはいうまでもない。
【０１３３】
ここで、ユーザが携帯するスマートフォンは、例えば、フルセグとワンセグで同じ内容が送信されるサイマル放送を、フルセグとワンセグに切り替えて視聴する機能を有するデジタル放送受信機の例であり、他の様々な機器でもよい。
【０１３４】
具体的に、例えば、サイマル放送の視聴が可能なタブレットやノートパソコン、或いは、ゲーム機器等であってもよい。さらに、受信可能な同一内容(同一コンテンツ)の放送は、フルセグおよびワンセグ放送に限定されないのはもちろんである。
【０１３５】
このようにして、例えば、フェージングの周波数推定値が常に一定以下を示している場合には、徒歩での移動中と推定し、例えば、フルセグ→ワンセグおよびワンセグ→フルセグの両方の切り替えの閾値を低めに設定しておく。
【０１３６】
すなわち、徒歩での移動中では、建物等の障害物の有無で信号レベルやマルチパスが大きく変化すると考えられるため、フルセグ→ワンセグおよびワンセグ→フルセグの両方の切り替えを、受信環境の変化に応じてなるべく早く切り替えるのが好ましいと考えられる。
【０１３７】
上述したように、本実施例によれば、ＣＮ，ＭＥＲ，ＲＳＳＩ，ＢＥＲ，ＰＥＲ等の受信状況を示す主要なモニタの監視機能をハードウェア(切り替え制御部４)として実装して処理の負担を軽減する。
【０１３８】
そして、ソフトウェア(切り替え条件処理部５１)ではフェージング状況(ＦＤ)やマルチパスの変動(ＭＰ)をモニタし、例えば、停止，徒歩および自動車等での移動といった様々なデジタル放送受信機の使用状況を推定し、最適なパラメータを動的に設定する。これにより、同じ内容で画質が異なる第１および第２放送の切り替えを、切り替え処理の負担を軽減しつつ、利用環境に応じた適切なものとすることができる。
【０１３９】
以上、実施形態を説明したが、ここに記載したすべての例や条件は、発明および技術に適用する発明の概念の理解を助ける目的で記載されたものであり、特に記載された例や条件は発明の範囲を制限することを意図するものではなく、明細書のそのような例の構成は発明の利点および欠点を示すものではない。発明の実施形態を詳細に記載したが、各種の変更、置き換え、変形が発明の精神および範囲を逸脱することなく行えることが理解されるべきである。
【０１４０】
以上の実施例を含む実施形態に関し、さらに、以下の付記を開示する。
（付記１）
第１画質の第１放送、および、前記第１放送と同じ内容で前記第１画質よりも高画質の第２放送のデジタル放送信号を受信し、前記第１放送用の第１受信信号と前記第２放送用の第２受信信号を復調して出力する復調部と、
ソフトウェア用モニタ信号を受け取って、切り替え条件をソフトウェア処理して出力する切り替え条件処理部と、
前記切り替え条件処理部からの前記切り替え条件、および、ハードウェア用モニタ信号を受け取って、前記第１放送または前記第２放送の切り替えを制御する切り替えフラグを出力する切り替え制御部と、を有する、
ことを特徴とするデジタル放送受信機。
【０１４１】
（付記２）
さらに、
前記復調部からの前記第１受信信号および前記第２受信信号を受け取り、前記切り替え制御部からの前記切り替えフラグに基づいて、前記第１受信信号または前記第２受信信号の一方をデコードおよび切り替え処理して出力する演算処理装置を有し、
前記切り替え条件処理部は、前記演算処理装置で実行されるソフトウェアプログラムで形成される、
ことを特徴とする付記１に記載のデジタル放送受信機。
【０１４２】
（付記３）
さらに、
前記演算処理装置により前記第１受信信号または前記第２受信信号の一方がデコードおよび切り替え処理して出力された信号に基づいて、前記第１放送または前記第２放送を表示するディスプレイを有する、
ことを特徴とする付記２に記載のデジタル放送受信機。
【０１４３】
（付記４）
前記ソフトウェア用モニタ信号は、
マルチパス信号およびフィージング信号の少なくとも一方を含む、
ことを特徴とする付記１乃至付記３のいずれか１項に記載のデジタル放送受信機。
【０１４４】
（付記５）
前記復調部は、
分散パイロット信号の搬送波を受け取って、前記マルチパス信号および前記フィージング信号を生成するマルチパスおよびフェージング検出回路を含む、
ことを特徴とする付記４に記載のデジタル放送受信機。
【０１４５】
（付記６）
前記ハードウェア用モニタ信号は、
搬送波対雑音比，変調誤差比，受信信号強度，ビット誤り率およびパケット誤り率の少なくとも１つを含む、
ことを特徴とする付記４または付記５に記載のデジタル放送受信機。
【０１４６】
（付記７）
前記復調部は、
前記搬送波対雑音比，前記変調誤差比，前記受信信号強度，前記ビット誤り率および前記パケット誤り率を生成する、
ことを特徴とする付記６に記載のデジタル放送受信機。
【０１４７】
（付記８）
前記切り替え制御部は、
前記切り替え条件処理部からの前記切り替え条件に基づいて規定された、前記搬送波対雑音比，前記変調誤差比，前記受信信号強度，前記ビット誤り率および前記パケット誤り率の少なくとも１つの閾値を格納する少なくとも１つの閾値レジスタと、
前記復調部からの前記搬送波対雑音比，前記変調誤差比，前記受信信号強度，前記ビット誤り率および前記パケット誤り率の選択された少なくとも１つ、並びに、前記選択された少なくとも１つに対応する前記閾値レジスタに格納され少なくとも１つれの閾値を受け取り、前記切り替え条件に基づいて、前記切り替えフラグを生成する切り替えフラグ生成回路と、を含む、
ことを特徴とする付記６または付記７に記載のデジタル放送受信機。
【０１４８】
（付記９）
前記第１放送は、ＩＳＤＢ−Ｔにおけるワンセグ放送であり、
前記第１受信信号は、Ａ階層トランスポートストリーム信号であり、
前記第２放送は、前記ＩＳＤＢ−Ｔにおけるフルセグ放送であり、
前記第２受信信号は、Ｂ階層トランスポートストリーム信号である、
ことを特徴とする付記１乃至付記８のいずれか１項に記載のデジタル放送受信機。
【０１４９】
（付記１０）
第１画質の第１放送、および、前記第１放送と同じ内容で前記第１画質よりも高画質の第２放送のデジタル放送信号を受信し、
ソフトウェア用モニタ信号を受け取って、切り替え条件をソフトウェア処理して出力し、
前記切り替え条件、および、ハードウェア用モニタ信号を受け取って、前記第１放送または前記第２放送の一方を視聴可能とする、を有する、
ことを特徴とするデジタル放送受信方法。
【０１５０】
（付記１１）
前記ソフトウェア用モニタ信号は、
マルチパス信号およびフィージング信号の少なくとも一方を含む、
ことを特徴とする付記１０に記載のデジタル放送受信方法。
【０１５１】
（付記１２）
前記ハードウェア用モニタ信号は、
搬送波対雑音比，変調誤差比，受信信号強度，ビット誤り率およびパケット誤り率の少なくとも１つを含む、
ことを特徴とする付記１０または付記１１に記載のデジタル放送受信方法。
【０１５２】
（付記１３）
前記第１放送または前記第２放送の一方を視聴可能とするのは、
前記切り替え条件に基づいて、前記搬送波対雑音比，前記変調誤差比，前記受信信号強度，前記ビット誤り率および前記パケット誤り率の少なくとも１つを処理し、前記第１放送または前記第２放送の一方を視聴可能とする、
ことを特徴とする付記１２に記載のデジタル放送受信方法。
【０１５３】
（付記１４）
前記第１放送は、ＩＳＤＢ−Ｔにおけるワンセグ放送であり、
前記第２放送は、前記ＩＳＤＢ−Ｔにおけるフルセグ放送である、
ことを特徴とする付記１０乃至付記１３のいずれか１項に記載のデジタル放送受信方法。
【０１５４】
（付記１５）
第１画質の第１放送、および、前記第１放送と同じ内容で前記第１画質よりも高画質の第２放送のデジタル放送信号を受信し、前記第１放送用の第１受信信号と前記第２放送用の第２受信信号を復調して出力する復調部と、
前記切り替え条件処理部からの前記切り替え条件、および、ハードウェア用モニタ信号を受け取って、前記第１放送または前記第２放送の切り替えを制御する切り替えフラグを出力する切り替え制御部と、
前記復調部からの前記第１受信信号および前記第２受信信号を受け取り、前記切り替え制御部からの前記切り替えフラグに基づいて、前記第１受信信号または前記第２受信信号の一方をデコードおよび切り替え処理して出力する演算処理装置と、を有するデジタル放送受信機の放送切り替えプログラムであって、
前記演算処理装置に、
ソフトウェア用モニタ信号を与え、ソフトウェア処理して前記切り替え条件を出力する工程を実行させる、
ことを特徴とするデジタル放送受信機の放送切り替えプログラム。
【符号の説明】
【０１５５】
１，101    アンテナ
２，102    ＲＦ部
３，103    復調部
４    切り替え制御部
５，105    アプリケーションプロセッサ(ＡＰ：演算処理装置)
６，106      およびディスプレイ
１０，100    デジタル放送受信機
３０    マルチパスおよびフェージング検出回路
３１    ＩＦＦＴ処理部
３２    遅延情報検出器
３３    電力変動検出部
４１    切り替えフラグ生成回路
４２〜４６    閾値レジスタ
５１    切り替え条件処理部
131    Ａ／Ｄ変換部
132    直交復調部
133    ＦＦＴ部
134    伝送路等化部
135    デインタリーブ部
136    誤り訂正部
321    電力計算部
322    ピークサーチ部
323    遅延量算出部
331    電力計算部
332    ４シンボル遅延部
333    減算部
334    積算部
335    変動計算部
【図１】
2015211378.tif 000003
【図２】
2015211378.tif 000004
【図３】
2015211378.tif 000005
【図４】
2015211378.tif 000006
【図５】
2015211378.tif 000007
【図６】
2015211378.tif 000008
【図７】
2015211378.tif 000009
【図８】
2015211378.tif 000010
【図９】
2015211378.tif 000011
【図１０】
2015211378.tif 000012
【図１１】
2015211378.tif 000013
【図１２】
2015211378.tif 000014
【図１３】
2015211378.tif 000015
【図１４】
2015211378.tif 000016
【図１５】
2015211378.tif 000017